(57)【特許請求の範囲】
【請求項１】
座と、前記座の左右外側又は後ろ側を通って座より上方に延びる左右一対の背支柱と、左右側部に前記背支柱への取り付け部を設けた背もたれとを備えており、
前記背支柱に上向きのボス体を設けて前記背もたれの取付け部には前記ボス体が嵌まるボス穴を設けるか、又は、前記背もたれの取付け部に下向きのボス体を設けて前記背支柱には前記ボス体が嵌まるボス穴を設けている構成であって、
前記背支柱の上端面と前記背もたれの取り付け部との間に、着座者の肘又は物が載り得る補助体の後部と高さ調節用のスペーサとのうちいずれか一方が、前記ボス体に嵌まった状態で選択的に配置されており、このため前記背もたれは前記補助体又はスペーサを介して前記背支柱の上面で支持されており、
かつ、前記補助体がボス体に嵌まった状態での前記背支柱の上端と取り付け部との間の上下高さと前記スペーサの上下高さとを同じに設定することにより、前記補助体を取り付けた状態と取り付けていない状態との両方で背もたれが同じ高さに保持されている、
椅子。
【請求項２】
前記背支柱と背もたれの取付け部とは、互いの外周面が滑らかに連続し得るように略同じ外形になっている、
請求項１に記載した椅子。
【請求項３】
前記補助体の後部には、前記背支柱の上部がきっちり嵌まる下向き開口の大径穴とボス体が貫通する小径穴とが形成されており、小径穴の外側の部分は背支柱の上端面に重なる内向きフランジになっている、
請求項１又は２に記載した椅子。
【請求項４】
前記ボス体は背支柱に設けられていてボス穴は背もたれの取付け部に形成されており、前記補助体とスペーサとにボス体を囲う環状リブが上向きに突設されている一方、前記背もたれにおける取付け部の下端部に前記補助体及びスペーサの環状リブが嵌まるようになっている、
請求項１〜３に記載した椅子。
【発明の詳細な説明】
【技術分野】
【０００１】
本願発明は、左右の背支柱に背もたれを取付けた構造の椅子に関するものである。
【背景技術】
【０００２】
骨組みを金属パイプや棒材（或いはダイキャスト品）で構成した背もたれ付き椅子があり、例えば会議室や講演会場を初めとしてオフィスや各種店舗、各種施設（或いは家庭）で広く使用されている。この種の椅子は不使用時には倉庫等に保管しておくことも多く、そこで、前後方向に並べて嵌め合わせ（ネスティング）できるようにしたり、又は（／及び）上下に積み重ね（スタッキング）できるようになっているものも多い。
【０００３】
この種の椅子において脚の形態は様々であるが、例えば、特許文献１のように前足と後足との４本の足を有しているタイプと特許文献２のように左右２本の足を有するタイプとがある。４本足方式の具体的な形態も様々であり、特許文献１のように前後の足が上部と下部とにおいて水平部で繋がっているタイプ、足の下端は自由端になっていて前後足の上端が上水平部に繋がっているタイプ、或いは、左右の前足と左右の後足とがその下端において下水平部で繋がっているタイプなどがある。
【０００４】
そして、背もたれを取り付ける手段として特許文献１では、後足を上向きに突出させると共に上水平部の後端を上向きに折り曲げることで２本が対になった背支柱を構成する一方、背もたれの左右両側部に下向きに開口した筒部を形成し、この筒部を背支柱に上方から嵌め込んでいる。
【０００５】
他方、特許文献２では、パイプ製の足の上端を座の上方に突出させることで背支柱を構成する一方、背もたれの左右両端部には背支柱に挿入される取付け軸部を下向きに突設し、背支柱と取付け軸部と支持アームの筒状装着部とをビスで共締めしている。
【特許文献１】特開２００２−１３６３８９号公報
【特許文献２】特開２０００−１５２８４５号公報
【発明の開示】
【発明が解決しようとする課題】
【０００６】
さて、椅子にはオプション品として肘掛けやメモ台のような補助体を設けることがある。特許文献２のマウス操作台も補助体の一例であり、これらの補助体には下向きの荷重が作用する。そして、特許文献２では支持アームをビス止めすることでマウス台のずり下がりを防止しているが、この構成ではマウス台に作用した荷重は全てビスで受けることになるため、複数本のビスを使用するなどして強度を確保せねばならず、このため椅子の組立作業の工数が増える問題があった。
【０００７】
本願発明はこのような現状に鑑み成されたものであり、従来技術に比べてより改良された椅子を提供することを課題とするものである。
【課題を解決するための手段】
【０００８】
本願発明に係る椅子は、座と、前記座の左右外側又は後ろ側を通って座より上方に延びる左右一対の背支柱と、左右側部に前記背支柱への取り付け部を設けた背もたれとを備えており、前記背支柱に上向きのボス体を設けて前記背もたれの取付け部には前記ボス体が嵌まるボス穴を設けるか、又は、前記背もたれの取付け部に下向きのボス体を設けて前記背支柱には前記ボス体が嵌まるボス穴を設けている、という基本成になっている。
【０００９】
そして、請求項１の発明は、上記基本構成において、前記背支柱の上端面と前記背もたれの取り付け部との間に、着座者の肘又は物が載り得る補助体の後部と高さ調節用のスペーサとのうちいずれか一方が、前記ボス体に嵌まった状態で選択的に配置されており、このため前記背もたれは前記補助体又はスペーサを介して前記背支柱の上面で支持されており、かつ、前記補助体がボス体に嵌まった状態での前記背支柱の上端と取り付け部との間の上下高さと前記スペーサの上下高さとを同じに設定することにより、前記補助体を取り付けた状態と取り付けていない状態との両方で背もたれが同じ高さに保持されている。
【００１０】
請求項２の発明は、請求項１において、前記背支柱と背もたれの取付け部とは、互いの外周面が滑らかに連続し得るように略同じ外形になっている。また、請求項３の発明は、請求項１又は２において、前記補助体の後部には、前記背支柱の上部がきっちり嵌まる下向き開口の大径穴とボス体が貫通する小径穴とが形成されており、小径穴の外側の部分は背支柱の上端面に重なる内向きフランジになっている。
【００１１】
請求項４の発明は、請求項１〜３において、前記ボス体は背支柱に設けられていてボス穴は背もたれの取付け部に形成されており、前記補助体とスペーサとにボス体を囲う環状リブが上向きに突設されている一方、前記背もたれにおける取付け部の下端部に前記補助体及びスペーサの環状リブが嵌まるようになっている。
【発明の効果】
【００１２】
本願発明では、補助体又はスペーサは脚支柱の上端面に重なっているため、単に嵌まっているだけでもずり下がることは全くない。従って、抜け止めのビスを設けるにおいても１本のみでも足り、その結果、椅子の組立作業において工数低減に貢献できる。また、特許文献２では椅子の組立に際して支持アームがずり下がらないように手で保持しておかねばならず、この点からも組立の手間が増えるが、本願発明ではスペーサもボス体に嵌め込むことで落下不能に保持されるため、補助体やスペーサは取付けに際して手で持って高さを保持しておく必要はなく、この点からも組立作業の手間軽減に貢献できる。
【００１３】
そして、本願発明では、肘当て等の補助体を使用しないときはボス体にスペーサを嵌め込むことにより、補助体を使用する場合と使用しない場合とで背もたれの高さが同じに維持されるため、椅子の高さを一定に規格化しつつ補助体のオプションに的確に対応することができる。
【００１４】
請求項２のように構成すると、すっきりとしたデザインになって美観に優れている利点がある。また、請求項３の構成では、補助体の後部が背支柱の上部にきっちり嵌合しているため、補助体に掛かったモーメントを主として背支柱で支持することが可能になり、その結果、補助体は荷重に対する高い強度を確保することができる。
【００１５】
更に請求項４の発明では、補助体又はスペーサの環状リブがボス体と背もたれとの緩衝作用を果たすため、着座した人が背もたれに凭れ掛かることで背もたれの取付け部にモーメントが作用しても応力集中を抑制して高い強度を確保することができる。
【発明を実施するための最良の形態】
【００１６】
(1).椅子の基本構成
次に、本願発明の実施形態を図面に基づいて説明する。まず、図１〜図３に基づいて椅子の基本構成を説明する。図１は全体の斜視図、図２のうち（Ａ）は正面図で（Ｂ）は平面図で（Ｃ）は側面図、図３は分離正面図である。
【００１７】
椅子は、主要要素として脚１と背フレーム２と座３と背もたれ４を備えており、座３と背もたれ４とは背フレーム２に取付けられている。脚１と背フレーム２とで、着座荷重及び背もたれ荷重を受ける骨組みが構成されている。また、背フレーム２には、請求項に記載した補助体の一例として肘掛け５を取付けている。
【００１８】
背フレーム２は側面視で後傾姿勢になっており、脚１の上端に固着されている（脚１と背フレーム２とは一体構造でも良い）。座３は脚１よりも上方の部位に配置されており、後部を中心に跳ね上げ回動し得るように背フレーム２の横向き支軸６にボルト（図示せず）で取付けられている（図２（Ａ）（Ｃ）参照）。
【００１９】
脚１は左右２本の前足７と左右２本の後足８とを有していて４本足方式になっており、各足７，８の下端（先端）は鉛直姿勢になっていてこれにキャスタ９を取り付けている。また、左右の前足７及び左右の後足８はそれぞれ上水平部７ａ，８ａを有しており、左右の上水平部７ａ，８ａは棒材等から成る上連結部７ｂ，８ｂを介して一体に連続しており、このため左右前足７と後足８とはそれぞれ正面視で略台形に形成されている。
【００２０】
一方、背フレーム２は、座３の左右外側に位置した略正面視鉛直姿勢の左右の背支柱２ａとその下端に連続した傾斜部２ｂ、及び、左右の傾斜部２ｂが一体に繋がる下水平部２ｂとを有しており、このため背フレーム２は正面視で略Ｕ字形になっている（背支柱はサイド支柱と呼び代えることも可能である。）。
【００２１】
そして、背フレーム２の下水平部２ｂと脚１の上連結部７ｂ，８ｂとは束ねられた状態で一体に固着されている。脚１の上水平部７ａ，８ａはカバー１０で覆われている。なお、前後の足７，８はパイプを素材にして製造されているが、アルミダイキャストのような成形品を採用することも可能であり、また、脚１の全体をアルミダイキャストのような成形品として一体構造とすることや、脚１と背フレーム２とを一体成形品にすることも可能である。
【００２２】
前足７の大部分が側面視では後傾姿勢で正面視では上から下に向けて外側に広がる傾斜姿勢になっており、後足８はその大部分が側面視では後傾姿勢で正面視では上から下に向けて外側に広がる傾斜姿勢になっているが、前足７の左右間隔を後足８の左右間隔よりも全体に小さくすることにより、座３を跳ね上げると前後に並べた椅子の脚１を部分的に嵌め合わせてネスティングできるようになっている。背フレーム２の左右傾斜部２ｂには、座３を回動中心よりも手前において支持する左右横長の受け体１１が溶接によって固着されている（受け体１１は、図２（Ｃ）に一点鎖線で示すように脚１の前足７に設けても良い。）。
【００２３】
背フレーム２を構成する背支柱２ａの上部は座３の上方に延びており、この背支柱２ａに肘当て５と背もたれ４とが取付けられている。また、図３から理解できるように、背もたれ４は、強度メンバーとして機能するアウターシェル（ベース体）１２と、アウターシェル１２の前面のうち略下半部に装着された下カバー１３と、アウターシェル１２の前面のうち略上半部に装着された上カバー１４とを主要部材として構成されている。
【００２４】
(2).肘当ての取付け構造
次に、肘当て５と背もたれ４との取付け構造を主として図４を参照して説明する。図４のうち（Ａ）は分離側面図、（Ｂ）は組み付けた状態での縦断側面図、（Ｃ）は（Ａ）のＣ−Ｃ矢視図、（Ｄ）は（Ａ）のＤ−Ｄ視断面図、（Ｅ）はスペーサ１６の斜視図、（Ｆ）はスペーサを取付けた状態での縦断側面図ある。
【００２５】
背フレーム２は断面楕円形のパイプ（オーバル管）から成っており、背支柱２ａの箇所では前後に長い楕円形になっている。そして、例えば図４から理解できるように、背支柱２ａの上部に金属製で平断面小判形のボス体１７を固着し、このボス体１７を介して肘当て５と背もたれ４とを取付けている。ボス体１７は、背支柱２ａの内部にきっちり嵌入する上下のブッシュ１８，１９に溶接されており、上ブッシュ１８を背支柱２ａの内面に溶接している。
【００２６】
ボス体１７は背支柱２ａよりも前後幅及び左右幅とも小さくなっており、このため背支柱２ａの上端面はボス体１７の外側において段差になっている。なお、ボス体１７は中実の棒材を使用しているが、強度が許せばパイプを使用することも可能である。
【００２７】
肘当て５はＰＰ（ポリプロピレン）等の樹脂を素材にした成形品であり、図２（Ｂ）に示すように手前に行くほど左右外側にずれた平面形状であり（ネスティングに際しての干渉を回避するためである）、また、全体的に湾曲している。更に、図４（Ａ）（Ｂ）に示すように後部の下面は側面視で前傾形状になっており、従って、後部は最後端に行くほど厚くなっている。これは強度を確保するためである。なお、肘当て５に背支柱２ｄ及びボス体１７に嵌まる金属製補強材を設けることも可能である。
【００２８】
肘当て５の後部には、背支柱２ａにきっちり嵌まる大径穴２０とボス体１７が貫通する小径穴２１とが連通した状態に形成されている。従って、小径穴２１の周囲の部分は背支柱２ａの上端面に重なる内向きフランジ２２になっており、内向きフランジ２２の上面にボス体１７を囲う上向きの環状リブ２３が形成されている。図４（Ｃ）に示すように、環状リブ２３の平面形状は基本的には背支柱２ａと相似形であるが、前部は切欠かれており（切欠き部を符号２３ａで示す）、このため環状リブ２３は前部よりも後部が厚肉になっている。このように切欠き２３ａを設けているのは、アウターシェル１２における取付け部１２ｃの前後の肉厚をできるだけ等しくするためである。
【００２９】
(3).背もたれの構造
次に、背もたれ４の構造を図５以下の図面も参照して説明する。図５のうち（Ａ）はアウターシェル１２の正面図、（Ｂ）はアウターシェル１２の平面図、図６は背もたれ４の左右中間部での分離断面図、図７のうち（Ａ）は背もたれ４の縦断側面図、（Ｂ）は図５の VII-VII視断面図、（Ｃ）は（Ｂ）のＣ−Ｃ視断面図である。なお、図５では肘当て５に代えてスペーサ１６を取付けている。
【００３０】
背もたれ４を構成するアウターシェル１２はＰＰのように比較的硬い樹脂を素材にして製造されており、従って、大きな荷重を掛けると曲がり変形し得るが、伸び変形や圧縮変形は本質的にはしない（着座した人の身体を安定的に支えるためである。）。そして、アウターシェル１２の略半部には横長長方形に近い大きな窓穴２４が空いており、このため、窓穴２４の外側には上下長手のサイド枠部１２ａと天枠部１２ｂとが連続して延びている。アウターシェル１２は平面視で前向き凹状に湾曲しているが（人の身体にフィットさせるためである）、天枠部１２ｂは窓穴２４の下方の部分よりも深く湾曲している。
【００３１】
アウターシェル１２は平面視で全体的に前向き凹状に湾曲しており、窓穴２４よりも下方の部分には補強等のために縦横のリブ２５が形成されており、下カバー１３はリブ２５の群で支えられている。下カバー１３はアウターシェル１２と同様にＰＰのような比較的硬質の樹脂で製造されており、その前面には左右長手の横長リブ２６が上下に適宜間隔を隔てて多数形成されている。横長リブ２６は主としてデザイン的な面から設けており、このため人の身体に違和感を与えない程度の突出高さ（数ｍｍ）になっている。
【００３２】
上カバー１４はエラストマーのように容易に伸び変形及び撓み変形する素材からなっており、左右両側部はアウターシェル１２のサイド枠部１２ａに固定されている。図５に示すように、アウターシェル１２のサイド枠部１２ａには前向きに開口した縦溝２７が形成されている一方、上カバー１４の左右側部には前記縦溝２７に嵌まり込む嵌入部（図示せず）が後ろ向きに突設されており、嵌入部に装着した補強部材（図示せず）がサイド枠部１２ａにビス（図示せず）で固定されている。
【００３３】
図５及び図６に示すように、アウターシェル１２のサイド枠部１２ａにはビスが左右内側から嵌まる穴付き台座部２８が形成されており、この台座部２８に内側から挿通したビスを補強部材に設けたナットにねじ込んでいる。
【００３４】
図６及び図７（Ａ）に示すように、上カバー１４の下端には下カバー１３の上部とアウターシェル１２との間に挟まる重合部１４ａが形成されており、重合部１４ａは左右横長の押さえ金具２９を介してアウターシェル１２に押さえ固定されている。押さえ金具２９は前板と後板とを有する上向きに開口した樋状の形態であり、図７（Ａ）から理解できるように、押さえ金具２９で上カバー１４の重合部１４ａが下方から抱持されている。
【００３５】
そして、詳細は省略するが、押さえ金具２９の後板の一部はアウターシェル１２に形成したポケット部３１に下方から嵌まり込んで前向き移動不能に保持されるナット部になっており、前板に貫通したビスをナット部にねじ込むことにより、押さえ金具２９と上カバー１４の重合部１４ａとがアウターシェル１２に固定されている。また、詳細は省略するが、下カバー１３は、係合爪き係合穴との嵌めによってアウターシェル１２に取付けている。図６では一つの係合爪３０を表示している（係合爪は左右に複数個配置している。）。
【００３６】
また、下カバー１３の左右両側部でかつ下部には後ろ向きに突出したポケット状のナット保持部３２を一体に設け、このナット保持部３２に左右横方向から板ナット３３を挿入セットしている一方、アウターシェル１２の左右下部は、ナット保持部３２を下方から支持する受け部３４を形成しており、受け部３４に下方から挿入したビス３５を板ナット３３にねじ込んでいる。このため下カバー１３はその下部においてアウターシェル１２にきっちりと固定されている。
【００３７】
上カバー１４の前面にも下カバー１３と同様に横長リブ２６が多段に形成されている。従って、背もたれ４の前面にはその全体にわたって略等間隔で多数条の横長リブ２６が存在している。また、荷重が掛かっていない状態で上カバー１４はおおむね下カバー１３と同じ程度で前向き凹状に緩く湾曲しており、かつ、その状態で上カバー１４の上端とアウターシェル１２の天枠部１２ｂとの間には、図７（Ａ）に示すように大きな空間が空いている。
【００３８】
そして、着座した人が上カバー１４に凭れ掛かると上カバー１４は弾性に抗して伸び変形し、これにより、人に高いフィット性・クッション性が付与される。上カバー１４の伸び限度はアウターシェル１２の天枠部１２ｂによって規制され、これにより、上カバー１４の破断を防止できる。上下カバー１３，１４の横長リブ２６はデザイン的な側面が強いが、強度アップにも貢献している。
【００３９】
なお、上カバー１４は不透明とすることも可能であるが、半透明の素材を使用することも可能である。下カバー１３を使用せずに背もたれ４をアウターシェル１２と上カバー１４とで構成することも可能であり、この場合は横長リブ２６はアウターシェル１２に直接形成される。
【００４０】
本実施形態においては、図８に示すように、アウターシェル１２には上下カバー１３，１４に代えてクッション３６が張られたインナーシェル３７を取り付けることも可能である。インナーシェル３７の下半部は前記下カバー１３と同じ構造になっている。他方、インナーシェル３７の上端にはアウターシェル１２の天枠部１２ｂに向けて突出して上リブ３７ａが設けられており、非着座状態で上リブ３７ａと天枠部１２ｂとの間には僅かの隙間が空いている。このため、インナーシェル３７の上部は若干ながら変形し得る。アウターシェル１２を窓穴２４がない状態に製造してアウターシェル１２のみで身体を受けることや、アウターシェル１２の前面にクッションを張ると言ったことも可能である。
【００４１】
(4).背もたれ４の取付け構造
次に、従前の図（特に図４，５，７）を参照して背もたれ４の取付け構造を説明する。アウターシェル１２の左右両側部には下向きに開口した取付け部１２ｃが形成されており、この取付け部１２ｃがボス体１７に嵌まっている。
【００４２】
図７（Ｂ）に示すように、取付け部１２ｃは基本的には背支柱２ａの平面視外形と同じ前後長手の楕円形状になっており、このため、肘当て５及びスペーサ１６がない場合は、取付け部１２ｃの前後面と左右外面とは背支柱２ａとほぼ同一面を成すように連続し得る。このようなアウターシェル１２と背支柱２ａとの外形の一体感により、椅子全体として統一したデザインが実現されている。
【００４３】
図７（Ｂ）に示すように、取付け部１２ｃにはボス体１７が嵌まるボス穴３９が空いているが、この場合、ボス穴３９は平面視で銅鐸形（或いは嵩高のカマボコ形）に形成されており、その内面に、ボス体１７に前後左右から当たるリブ４０が形成されている。このようにリブ４０をボス体１７に当てているのは、取付け部１２ｃに複雑な力が掛かることに起因して特定箇所に応力が集中することを防止するためである。
【００４４】
ボス穴３９の下端部は肘当て５の環状リブ２３が嵌まる広がり部３９ａになっており、この広がり部３９ａの箇所にはリブ４０は殆ど又は全く存在していない。図４（Ｂ）に示すように、ボス体１７にはアウターシェル１２の取付け部１２ｃに後ろ側から挿入した止めビス４２がねじ込まれている。
【００４５】
肘当て５を取付けない場合は、ボス体１７にはスペーサ１６が取付けられる。スペーサ１６の上下高さは基本的には肘当て５の内向きフランジ２２の上下高さ（厚さ）と同じであり、図４（Ｅ）に示すように、上面には肘当て５と同じ形状・高さの環状リブ２３が形成されており、また、図４（Ｆ）に示すように、スペーサ１６の下面には、背支柱２ａに外側から嵌まる極く浅いスカート部１６ａが形成されている。
【００４６】
(5).まとめ
肘当て５もスペーサ１６も背支柱２ａで下向き移動不能に保持されているため、肘当て５やスペーサ１６の落下を防止するためのビスは必要はない。また、背もたれ４には主として後ろ向きの荷重が掛かるだけであり、上向きの荷重は背もたれ４を掴んで椅子を持ち上げる場合しか作用しない。従って、左右１本ずつの止めビス４２のみで背もたれ４と肘当て５、或いは背もたれ４とスペーサ１６とをしっかりと固定できる。また、スペーサ１６の高さが肘当て５の環状リブ２３と同じ高さであるため、肘当て５を取り付けている状態と取り付けていない状態とのいずれにおいても背もたれ４の高さは同じになる。
【００４７】
人が背もたれ４に凭れ掛かることによって背もたれ４には主として後ろ向きの力が掛かるが、本実施形態のように環状リブ２３の前部に切欠き２３ａを形成すると、アウターシェル１２における取付け部１２ｃの下端部は手前側の部分が厚くなるため、背もたれ４にかかった荷重を的確に支持できる利点がある。
【００４８】
ボス体１７はそれ自体を背支柱２ａに溶接することも可能であるが、本実施形態のようにブッシュ１８，１９を使用すると、正確に位置決めしつつ強固に固着できる利点がある。特に上下２つのブッシュ１８，１９を使用すると、ブッシュ１８，１９の全体の重量を重くすることなくボス体１７が背支柱２ａに入り込む深さを深くして高い強度を確保できる。
【００４９】
背もたれ４には後ろ向きの荷重が掛かるので、アウターシェル１２の取付け部１２ｃは前後方向に長い形状とするのが支持強度の点で優れている。そして、ボス体１７は円形（真円）とすることも可能であるが、本実施形態のようにボス体１７を前後に長い小判型（楕円でも良い）の断面形状とすると、取付け部１２ｃの肉厚をできるだけ均等化しつつ前後に長い形状とすることができ、このため、肉厚が異なることに起因して成形時にヒケが生じることを防止又は抑制できると共に、応力も分散させて強度確保に貢献できる。
【００５０】
本願発明では、背もたれ４は左右のアウターシェル１２における取付け部１２ｃの間の部分が下向きに突出している。換言すると、アウターシェル１２における左右の取付け部１２ｃは背もたれ４（或いはアウターシェル１か）の下端よりも上方に位置している。このような形態により、背もたれ荷重が取付け部１２ｃにモーメントとして作用することを抑制して強度アップに貢献できる。
【００５１】
すなわち、特許文献２では左右の取付け軸部は背もたれ全体の下端から下向きに突出しており、このため、背もたれはいわば片持ち梁の状態になっており、その結果、背もたれに掛かった荷重が取付け軸部の箇所に大きな曲げモーメントとして作用するのであるが、本実施形態では、背もたれ４は取付け部１１ｃより下方まで延びているため、モーメントが作用しても上下のスパンは短くなり、その結果、背もたれ荷重に対する支持強度が高くなるのである。
【００５２】
(6).その他
本願発明は上記の実施形態の他にも様々に具体化できる。例えば、脚や背もたれの構造や形態は任意に設定できる。ボス体を背もたれに設けることも可能である。また、本願発明は座が跳ね上げ回動しないタイプにも適用できることは言うまでもない。
【図面の簡単な説明】
【００５３】
【図１】第１実施形態に係る椅子の斜視図である。
【図２】（Ａ）は正面図で（Ｂ）は平面図で（Ｃ）は側面図である。
【図３】椅子の分離正面図である。
【図４】（Ａ）は要部の分離側面図、（Ｂ）は組み付けた状態での要部の縦断側面図、（Ｃ）は（Ａ）のＣ−Ｃ視図、（Ｄ）は（Ａ）のＤ−Ｄ視断面図、（Ｅ）はスペーサの斜視図、（Ｆ）はスペーサを取付けた状態での縦断側面図ある。
【図５】（Ａ）はアウターシェルの正面図、（Ｂ）はアウターシェルの平面図である。
【図６】背もたれの左右中間部の箇所での分離断面図である。
【図７】（Ａ）は背もたれ４の縦断側面図、（Ｂ）は図５の VII-VII視断面図、（Ｃ）は（Ｂ）のＣ−Ｃ視断面図である。
【図８】クッションタイプの背もたれの縦断側面図である。
【符号の説明】
【００５４】
１  脚
２  背フレーム
２ａ  背支柱
３  座
４  背もたれ
５  肘当て
１２  背もたれを構成するアウターシェル
１２ｃ  取付け部
１３  背もたれを構成する下カバー
１４  背もたれを構成する上カバー
１６  スペーサ
１７  ボス体
２２  肘当ての内向きフランジ
２３  環状リブ
３９  ボス穴
【図１】
0005096869.tif 000002
【図２】
0005096869.tif 000003
【図３】
0005096869.tif 000004
【図４】
0005096869.tif 000005
【図５】
0005096869.tif 000006
【図６】
0005096869.tif 000007
【図７】
0005096869.tif 000008
【図８】
0005096869.tif 000009